(57)【要約】【課題】小型軽量の電子安定器を照明器具に対して回転自在に併置することで、設置場所を選ばず、電子安定器の利点を享受しながら配線長の心配をする必要が無く、天井よりの器具の張り出しを少なくでき、且つ、電子安定器への熱の影響を抑えられ、さらに、安定器併置のため、安定器と照明器具間の配線工事が不要という利点を備えた照明器具を提供することを課題とする。【解決手段】下面開口形の反射体１２を支持し、内部にランプソケット１３を装着してなるホルダー１１の一部に、回転自在な支持腕１４を設ける。この支持腕１４に電子安定器２１を掛合支持し、更にこの電子安定器２１はホルダー１１の側方または上方に位置するよう構成する。また、照明器具のホルダー１１の側方に電子安定器の長手方向を横向きに回動配置することで、器具の構成全体の高さを抑えることができ、取付面３２，３３よりの張り出しを少なくしたい使用場所に対応できる。【選択図】          図５
2004152633.tif 000002
【特許請求の範囲】
【請求項１】
下面開口形の反射体を支持し、内部にランプソケットを装着してなるホルダーの一部に、回転自在な支持腕を支持し、同支持腕に電子安定器を掛合支持し、更に同電子安定器がホルダーの側方または上方に位置するように構成したことを特徴とする安定器併置形照明器具。
【請求項２】
電子安定器の外側面一部に掛合溝を構成し、同掛合溝に支持腕より突出したアダプターを嵌合し、照明器具を掛止し得るように構成したことを特徴とする請求項１記載の安定器併置形照明器具。
【請求項３】
電子安定器の支持腕取付面に板状折曲片からなるばね性の掛合突起を突出入自在に形成し、同板状折曲片の側方方向よりアダプターを有する支持腕を掛止支持し、該電子安定器と該支持腕をロックされるように構成したことを特徴とする請求項１及び請求項２に記載の安定器併置形照明器具。
【請求項４】
電子安定器の内部において、耐熱温度の低い部品は電子安定器が横向きの場合は電子安定器の支持腕取付面側、かつ電子安定器の下方に配置され、電子安定器が縦向きの場合は電子安定器の下方になるように配置したことを特徴とする請求項１乃至請求項３記載の安定器併置形照明器具。
【請求項５】
電子安定器外側面の長手方向に多数の溝状の放熱フィンを形成し、ホルダー上方において電子安定器の長手方向を縦向きに配設した場合は電子安定器外側面の放熱フィンが垂直になるように構成したことを特徴とする請求項１乃至請求項４記載の安定器併置形照明器具。
【発明の詳細な説明】
【０００１】
【発明の属する技術分野】
本発明は、照明器具の安定器併置照明器具の改良に関する。
【０００２】
【従来の技術】
従来の安定器併置形照明器具は工場等の照明を主眼において開発されており、品種構成が限られている上に意匠的にも実用本位のものであった。
従来の安定器併置形照明器具に主に使用されていた銅鉄式安定器に対し、電子安定器はランプのちらつきが無い、ランプの光色が安定している、小形軽量である等の利点がある。近年ＨＩＤランプ用器具の分野にも電子安定器が多用されるようになったが、電子安定器併置形の器具は品種が非常に限られている。そのため電子安定器と照明器具を分離して施工するのが一般的であった。
従来の技術としては特開２０００−２８５７２５号公報のように照明器具灯体の直上に安定器が不可動な状態で配置されていた。
【０００３】
【発明が解決しようとする課題】
しかし、従来技術によると、次のような問題点がある。
従来の安定器併置形照明器具は器具の大きさ、重量、意匠などの問題から商業施設など見栄えを重視する使用場所では不評であった。
【０００４】
また、特開２０００−２８５７２５号公報によると、この照明器具は照明器具灯体の直上に安定器が不可動な状態で垂直に位置しているため、天井よりの張り出しを抑えたい場所では使用できない構造であった。
【０００５】
また、電子安定器や銅鉄式安定器を照明器具の近傍に配置する場合、貼天井であれば天井裏に安定器を設置するが、安定器点検用の開口部を設ける必要があり、天井材が無く、建築躯体に直接照明器具を施工する場合は安定器がむき出しになってしまい、見栄えが悪いという問題があった。
【０００６】
また、安定器は照明器具から離して一ヶ所に集中して配置すれば設備管理が容易になるが、電子安定器の場合、電子安定器と器具間の配線長が長いと高調波や雑音電流の対策が難しいという問題がある。やむをえず銅鉄式安定器を使用すると、ランプのちらつき、ランプ光色のばらつきが増加してしまう。さらに銅鉄式安定器は質量が５〜１０Ｋｇ以上もあるため、取付部分の強度が必要で設置場所が限定されるという欠点があった。安定器と照明器具が独立している場合、安定器と照明器具間に配線工事を行う必要が生じる。
【０００７】
さらに電子安定器は半導体を使用するため、銅鉄式安定器に比べて高温に弱く、電子安定器を照明器具に併置、内蔵する際の障害となっていた。
【０００８】
本発明は前記の内容に鑑みてなされたもので、小型軽量の電子安定器を照明器具に対して回転自在に併置することで、設置場所を選ばず、電子安定器の利点を享受しながら配線長の心配をする必要が無く、安定器を水平方向に回動させることにより天井よりの器具の張り出しを少なくでき、且つ、電子安定器への熱の影響を抑えられ、さらに、安定器併置のため、安定器と照明器具間の配線工事が不要という利点を備えた照明器具を提供することを目的とする。
【０００９】
【課題を解決するための手段】
請求項１に記載の発明は、下面開口形の反射体を支持し、内部にランプソケットを装着してなるホルダーの一部に、回転自在な支持腕を設ける。この支持腕に電子安定器を掛合支持し、更にこの電子安定器はホルダーの側方または上方に位置するよう構成する。
【００１０】
請求項１に記載の発明によると、照明器具のホルダー側方に電子安定器の長手方向を横向きに回動配置することで、器具の構成全体の高さを抑えることができ、取付面よりの張り出しを少なくしたい使用場所に対応できる。さらに、取付面より離して施工したい場合には、照明器具のホルダー直上に電子安定器の長手方向を縦向きに回動配置する。
【００１１】
請求項２に記載の発明は、電子安定器の外側面一部に掛合溝を構成し、同掛合溝に支持腕より突出したアダプターを嵌合し、照明器具を掛止めし得るよう構成する。
【００１２】
請求項２に記載の発明によると、電子安定器の外側面一部に掛合溝を構成し、この掛合溝に支持腕より突出した略Ｌ字形に突出したアダプターを挿入後、スライドさせることで照明器具のホルダーは電子安定器に簡単かつ確実に支持される。また、支持腕に掛合溝を構成し、同掛合溝に電子安定器の支持腕取付面より略Ｌ字形に突出したアダプターを挿入後、スライドさせることでも照明器具のホルダーは電子安定器に簡単かつ確実に支持される。
【００１３】
請求項３に記載の発明は、電子安定器の支持腕取付面に板状折曲片からなるばね性の掛合突起を突出入自在に形成し、この板状折曲片の側方方向よりアダプターを有する支持腕を掛止支持し、電子安定器と支持腕をロックされるように構成する。
【００１４】
請求項３に記載の発明によると、電子安定器の支持腕取付面に板状折曲片からなるばね性の掛合突起を突出入自在に形成してある場合、支持腕を電子安定器に掛止支持させた状態において、掛合突起が支持腕に形成された掛合突起嵌合穴に挿入、嵌合される。支持腕を電子安定器に掛止支持させた状態を解除する方向に力が加わっても掛合突起によって停止する。
また、支持腕に板状折曲片からなるばね性の掛合突起を突出入自在に形成してある場合、支持腕を電子安定器に掛止支持させた状態において、掛合突起が電子安定器の支持腕取付面に形成された掛合突起嵌合穴に挿入、嵌合される。そのため、支持腕を電子安定器に掛止支持させた状態を解除する方向に力が加わっても掛合突起によって停止する。
このため、万が一地震などによる振動が加わったとしても掛止支持させた状態が容易に解除されることがないようになっている。
【００１５】
請求項４に記載の発明は、電子安定器の内部において、電子安定器が横向きの場合は、耐熱温度の低い部品が電子安定器の支持腕取付面側、かつ電子安定器の下方に配置され、電子安定器が縦向きの場合は、耐熱温度の低い部品が電子安定器の下方になるように配置するよう構成する。
【００１６】
請求項４記載の発明によると、ホルダーの側方に電子安定器の長手方向が横向きに配置された場合、耐熱温度の低い部品は電子安定器内の支持腕取付面側に配置され、且つ、電子安定器を上下２分割した時の下方に配置する。ここで電子安定器がホルダーの上部に電子安定器の長手方向が縦向きに配置された場合でも、耐熱温度の低い部品は電子安定器を上下２分割した時の下方に配置され、電子安定器の長手方向を縦向き、または横向きのどちらで使用しても、常に電子安定器全体からみて下方に耐熱温度の低い部品が配置され、電子安定器自身の発熱から耐熱温度の低い部品を保護するよう構成してある。そのため、電子安定器自身の発熱から耐熱温度の低い部分は保護される。
【００１７】
請求項５に記載の発明において、電子安定器の長手方向に多数の溝状の放熱フィンを構成し、ホルダー上部に電子安定器の長手方向が縦向きに配置された場合、電子安定器の側面に放熱フィンを垂直に構成する。
【００１８】
請求項５記載の発明によると、電子安定器の長手方向に形成してある放熱フィンが縦向きになると、放熱フィンからは熱が放出され、その熱によって対流が起こる。この対流は垂直方向にスムーズに行われるため電子安定器の冷却が促進され、電子安定器は高温より保護される。
【００１９】
【発明の実施の形態】
以下に本発明の実施例を図１乃至図５を参照して説明する。図１乃至図５において、１１は反射体１２を支持し、内部にランプソケット１３を装着してなるホルダーである。１４はホルダー１１に回転自在に支持され、安定器取付面に掛合突起嵌合穴１５を備えた支持腕であり、図３のように支持腕はホルダー１１を左右より挟み込むように配置され、なおかつ支持腕同士は安定器取付面側において連結されている。１６は支持腕の安定器取付面より突出したアダプターであり、電子安定器の支持腕取付面に設けられた掛合溝２３に挿入後スライドさせる事により、支持腕１４を電子安定器２１に簡単かつ確実に支持させる。
【００２０】
ランプソケット１３と電子安定器２１は電気的に接続する必要があるが、ランプソケット１３より支持腕１４を通して安定器取付面より引き出した電線と、電子安定器２１の支持腕取付面より引き出した電線をそれぞれの端部に取付けたコネクターによって簡単に接続するよう構成してある。
【００２１】
２１は電子安定器であり、支持腕１４を介してホルダー１１と回転自在に支持されるため、電子安定器２１はホルダー１１を中心に回転し電子安定器の長手方向を縦向き乃至横向きに配置することができる。２２は電子安定器側面の長手方向に溝状に形成された放熱フィンであり、電子安定器２１の表面積を増加させる事により放熱を促し、電子安定器の温度を低下させる。
ランプの発熱は対流によってホルダー直上方向に伝わるため、電子安定器をホルダー側方に電子安定器の長手方向が横向きになるよう配置すれば、電子安定器への熱の影響を少なくできる。一方、電子安定器をホルダー直上に電子安定器の長手方向が縦向きになるよう配置した場合、電子安定器はランプの熱の影響を受けやすくなる。しかし、電子安定器の長手方向に形成してある放熱フィンが縦向きになるため、放熱フィンからは熱が放出され、その熱によって対流が起こる。この対流は垂直方向にスムーズに行われるため電子安定器の冷却が促進され、電子安定器は高温より保護される。
【００２２】
２３は支持腕１４より突出したアダプター１６を掛合する掛合溝、２４は支持腕１４の安定器取付面に備えられた掛合突起嵌合穴１５に嵌合する掛合突起である。掛合突起２４は支持腕１４より突出したアダプター１６を掛合溝２３に挿入すると支持腕１４の安定器取付面に押されて電子安定器２１内部に押し込まれる。その後支持腕１４をスライドさせると掛合突起２４と掛合突起嵌合穴１５の位置が合致し、掛合突起２４が掛合突起嵌合穴１５に突入嵌合してロックされ支持腕１４と電子安定器２１の掛合状態を解除する方向へはスライドできなくなる。
また電子安定器２１の質量は例えば２Ｋｇ以下となるように構成してある。
【００２３】
図４、図５において、３２、３３は金具取付面であり、それぞれ適合する取付金具、吊具を装着して器具全体を吊下支持するよう構成してある。
【００２４】
図２において、３１は例えばホルダーの側方に電子安定器の長手方向を横向きに配置した際、天井面に直付するのに使用する取付金具であり、金具取付面３２に装着する事により器具全体を吊下支持する。
【００２５】
図４，図５において、３３は例えばホルダーの側方に電子安定器の長手方向を横向きに配置した際、壁面直付金具を金具取付面３３に装着し、壁面取付器具として使用する事が出来る。同金具を使用し、ホルダー上方に電子安定器の長手方向を縦向きに配置すれば、取付金具を金具取付面３３に装着し、天井もしくは昇降装置に取付けることが出来る。更に、ホルダー上方に電子安定器の長手方向を縦向きに配置し、チェーンもしくはパイプ吊具を装着すれば天井面より離した位置に照明器具を施工することが出来る。
【００２６】
図４、５において、３４は低耐熱性部品の位置であり、電子安定器の長手方向を縦向きもしくは横向きのどちらに配置しても電子安定器全体からみて下方に配置するよう構成してある。電子安定器内部は熱の対流により、下方より上方の温度が高い分布を示す。電子安定器の長手方向を縦向きもしくは横向きのどちらに配置しても、電子安定器全体からみて下方に配置された部品は熱の影響を受け難くなる。
【００２７】
【発明の効果】
上記した請求項１に記載の発明によると、照明器具と電子安定器を併置できるため、照明器具と電子安定器との間の配線工事が不要となる。また、照明器具と電子安定器との間の配線長が短くなるため高調波や雑音電流といった問題がなくなる。また電子安定器を用いることで、ランプのちらつきが無い、ランプの光色が安定している、小型軽量であるなどの利点を享受できる。
また、電子安定器が照明器具に対して支持腕を介して回動可能に支持されているため、ホルダーの側方に電子安定器の長手方向を横向きに配置すれば天井などの取付面よりの出幅を小さく抑える事ができる。
取付面より距離を離して施工したい場合はホルダー上方に電子安定器の長手方向を縦向きに配置し、必要であればパイプもしくはチェーン等の吊具を用いて吊下げる事もできる。
【００２８】
上記した請求項２に記載の発明によると、電子安定器の支持腕取付面に掛合溝を構成し、この掛合溝に支持腕より突出した略Ｌ字形のアダプターを挿入後、スライドさせることで支持腕は電子安定器に簡単かつ確実に支持される。
また、支持腕に掛合溝を構成し、この掛合溝に電子安定器の支持腕取付面より突出した略Ｌ字形のアダプターを挿入後、スライドさせることでも、同様に電子安定器は支持腕に簡単かつ確実に支持される。
【００２９】
上記した請求項３に記載の発明によると、支持腕を電子安定器に掛止支持させた状態において、電子安定器に形成された掛合突起は支持腕に形成された掛合突起嵌合穴に挿入し、嵌合する。そのため、たとえ支持腕を電子安定器に掛止支持させた状態を解除する方向に力が加わっても掛合突起によって停止する。万が一地震などによる振動が加わったとしても掛止支持させた状態が容易に解除されることがなく、器具の落下を防止する。
また、支持腕を電子安定器に掛止支持させた状態において、支持腕に形成された掛合突起が電子安定器に形成された掛合突起嵌合穴に挿入し、嵌合する。そのため、たとえ支持腕を電子安定器に掛止支持させた状態を解除する方向に力が加わっても掛合突起によって停止する。万が一地震などによる振動が加わったとしても掛止支持させた状態が容易に解除されることがなく、器具の落下を防止する。
【００３０】
上記した請求項４に記載の発明によると、ホルダー上方に電子安定器の長手方向を縦向きもしくは横向きのどちらで使用しても、電子安定器内部の比較的低温の部分に耐熱温度の低い部品が配置される。これは電子安定器内部では部品の発熱により温度が上昇するが、温度分布は熱の対流により、電子安定器全体からみて上方が高温、下方が低温となるためである。よって、電子安定器全体からみて下方に配置された耐熱温度の低い部品を極力保護することができる。
【００３１】
上記した請求項５に記載の発明によると、ランプの発熱は対流によってホルダー直上方向に伝わるため、電子安定器がホルダー側方に電子安定器の長手方向が横向きになるよう配置すれば電子安定器への熱の影響を少なくできる。しかし、電子安定器をホルダー直上に電子安定器の長手方向が縦向きになるよう配置した場合、電子安定器はランプの熱の影響を受けやすくなる。しかし、電子安定器の長手方向に形成してある放熱フィンが縦向きになるため、放熱フィンからは熱が放出され、その熱によって対流が起こる。この対流は垂直方向にスムーズに行われるため電子安定器の冷却が促進され、電子安定器は高温より保護される。
【図面の簡単な説明】
【図１】本発明に係る安定器併置形照明器具の照明器具に支持腕を構成した斜視図。
【図２】本発明に係る安定器併置形照明器具の電子安定器構造の略側面図。
【図３】図１に示すホルダーに支持腕を構成した正面図。
【図４】電子安定器をホルダーの上方に垂直に配置した正面図。
【図５】電子安定器をホルダーの側方に水平に配置した正面図。
【符号の説明】
１１  ホルダー
１２  反射体
１３  ランプソケット
１４  支持腕
１５  掛合突起勘合穴
１６  アダプター
１７  ランプ
２１  電子安定器
２２  放熱フィン
２３  掛合溝
２４  掛合突起
３１  取付金具
３２  金具取付面（安定器水平時）
３３  金具取付面（安定器垂直時）
３４  低耐熱性部品
【図１】
2004152633.tif 000003
【図２】
2004152633.tif 000004
【図３】
2004152633.tif 000005
【図４】
2004152633.tif 000006
【図５】
2004152633.tif 000007